(57)【要約】【課題】従来と比較して薄型のディスク装置を提供すること。【解決手段】ディスク装置１００は、ディスクを載置して回転するターンテーブル１２０と、ターンテーブル１２０を駆動するスピンドルモータ１３０と、スピンドルモータ１３０からターンテーブル１２０に動力を伝達する歯車１３２、歯車１８１、ガイドシャフト１８０、歯車１８２、歯車１４１、シャフト１４０、歯車１４２、歯車１２３、及び、シャフト１２２とを備え、スピンドルモータ１３０は、回転軸１３３がターンテーブル１２０の回転軸１２４と略直交するようにする。【選択図】      図１
2004192762.tif 000002
【特許請求の範囲】
【請求項１】
ディスクを載置して回転するターンテーブルと、前記ターンテーブルを駆動するモータと、前記モータから前記ターンテーブルに動力を伝達する動力伝達部とを備え、
前記モータは、回転軸が前記ターンテーブルの回転軸と略直交したことを特徴とするディスク装置。
【請求項２】
前記ターンテーブルに載置された前記ディスクに対して記録及び再生の少なくとも一方を行うピックアップを備え、
前記動力伝達部は、前記ピックアップが前記ターンテーブルに対して移動するときに前記ピックアップを案内する案内部を有したことを特徴とする請求項１に記載のディスク装置。
【請求項３】
前記モータは、前記ターンテーブルの回転軸の延在方向と略直交した方向において、前記ターンテーブルに載置されたときの前記ディスクの外側に配置されたことを特徴とする請求項１又は請求項２に記載のディスク装置。
【発明の詳細な説明】
【０００１】
【発明の属する技術分野】
本発明は、ディスクに対して記録及び再生の少なくとも一方を行うディスク装置に関するものである。
【０００２】
【従来の技術】
従来、ディスクに対して記録及び再生を行うディスク装置として図６及び図７に示すディスク装置９００のようなディスク装置が知られている。（例えば、特許文献１参照。）。
【０００３】
ディスク装置９００は、シャーシ９１０と、図示していないディスクを載置して回転するターンテーブル９２０と、シャーシ９１０に固定されてターンテーブル９２０を駆動するスピンドルモータ９３０とを備えている。
【０００４】
ここで、スピンドルモータ９３０は、ターンテーブル９２０に形成された穴９２１に圧入されてターンテーブル９２０に固定されたシャフト９３１を有している。
【０００５】
また、ディスク装置９００は、ターンテーブル９２０に載置されたディスクに対して記録及び再生を行う光ピックアップ９５０と、シャフト９６１を有してシャーシ９１０に固定されたモータ９６０と、シャフト９６１に固定された歯車９６２とを備えている。
【０００６】
また、ディスク装置９００は、光ピックアップ９５０をターンテーブル９２０に対して移動させるリードスクリュー９７０と、リードスクリュー９７０に固定されて歯車９６２と噛み合った歯車９７１と、シャーシ９１０に固定されてリードスクリュー９７０を回転可能に支持したブラケット９１１及びブラケット９１２とを備えている。
【０００７】
ここで、リードスクリュー９７０は、図示していない雄ねじが設けられており、光ピックアップ９５０は、リードスクリュー９７０の雄ねじに係合した図示していない雌ねじが設けられたねじ部材９５１を有している。
【０００８】
また、ディスク装置９００は、光ピックアップ９５０がターンテーブル９２０に対して移動するときに光ピックアップ９５０を案内するガイドシャフト９８０と、シャーシ９１０に固定されてガイドシャフト９８０を固定したブラケット９１３及びブラケット９１４とを備えている。
【０００９】
そして、スピンドルモータ９３０がシャフト９３１を回転すると、スピンドルモータ９３０によって発生させられた動力は、シャフト９３１を固定したターンテーブル９２０に伝達される。
【００１０】
したがって、スピンドルモータ９３０がシャフト９３１を回転すると、ターンテーブル９２０とともに、ターンテーブル９２０に載置されたディスクが回転する。
【００１１】
また、モータ９６０がシャフト９６１を回転すると、モータ９６０によって発生させられた動力は、シャフト９６１に固定された歯車９６２と、歯車９６２と噛み合った歯車９７１と、歯車９７１を固定したリードスクリュー９７０と、リードスクリュー９７０の雄ねじに係合した雌ねじが設けられたねじ部材９５１とによって、ねじ部材９５１を有した光ピックアップ９５０に伝達される。
【００１２】
したがって、モータ９６０がシャフト９６１を回転すると、光ピックアップ９５０はリードスクリュー９７０及びガイドシャフト９８０に案内されながらターンテーブル９２０に対して離隔する方向又は近接する方向に移動する。
【００１３】
【特許文献１】
特開平７−３３４９２６号公報（第３−４頁、第１−３図）
【００１４】
【発明が解決しようとする課題】
しかしながら、上記従来のディスク装置９００においては、スピンドルモータ９３０の回転軸９３２の矢印９３２ａで示す延在方向でのスピンドルモータ９３０の長さが、ターンテーブル９２０の回転軸９２２の矢印９２２ａで示す延在方向での装置全体の長さに直接影響を与えていたので、装置全体の薄型化が困難であるという問題が有った。
【００１５】
そこで、本発明は、従来と比較して薄型のディスク装置を提供することを目的とする。
【００１６】
【課題を解決するための手段】
上記課題を解決するために、本発明のディスク装置は、ディスクを載置して回転するターンテーブルと、前記ターンテーブルを駆動するモータと、前記モータから前記ターンテーブルに動力を伝達する動力伝達部とを備え、前記モータは、回転軸が前記ターンテーブルの回転軸と略直交した構成を有している。
【００１７】
この構成により、本発明のディスク装置は、モータの回転軸がターンテーブルの回転軸と略直交しているので、モータの回転軸の延在方向でのモータの長さがターンテーブルの回転軸の延在方向での装置全体の長さに与える影響を従来と比較して減少することができ、従来と比較して薄型にすることができる。
【００１８】
また、本発明のディスク装置は、前記ターンテーブルに載置された前記ディスクに対して記録及び再生の少なくとも一方を行うピックアップを備え、前記動力伝達部は、前記ピックアップが前記ターンテーブルに対して移動するときに前記ピックアップを案内する案内部を有した構成を有している。
【００１９】
この構成により、本発明のディスク装置は、案内部がピックアップを案内するとともにモータからターンテーブルに動力を伝達するので、モータからターンテーブルに動力を伝達するための部品の増加を防止することができる。
【００２０】
また、本発明のディスク装置は、前記モータは、前記ターンテーブルの回転軸の延在方向と略直交した方向において、前記ターンテーブルに載置されたときの前記ディスクの外側に配置された構成を有している。
【００２１】
この構成により、本発明のディスク装置は、ターンテーブルに載置されたディスクとモータとの衝突を防止するためにターンテーブルの回転軸の延在方向においてターンテーブルの位置を調整する必要が無いので、ターンテーブルの回転軸の延在方向での装置全体の長さの増加を防止することができる。
【００２２】
【発明の実施の形態】
以下、本発明の一実施の形態について、図面を用いて説明する。
【００２３】
まず、本実施の形態に係るディスク装置の構成について説明する。
【００２４】
図１から図３までに示すように、本実施の形態に係るディスク装置１００は、シャーシ１１０と、図示していないディスクを載置して回転するターンテーブル１２０と、ターンテーブル１２０に形成された穴１２１に圧入されてターンテーブル１２０に固定されたシャフト１２２と、シャフト１２２に固定された歯車１２３と、シャーシ１１０に固定されてシャフト１２２を回転可能に支持したブラケット１１１及び軸受部材１１２と、シャフト１３１を有しシャーシ１１０に固定されてターンテーブル１２０を駆動するモータとしてのスピンドルモータ１３０と、シャフト１３１に固定された歯車１３２とを備えている。
【００２５】
また、ディスク装置１００は、ブラケット１１１に回転可能に支持されたシャフト１４０と、シャフト１４０に固定された歯車１４１と、シャフト１４０に固定されて歯車１２３と噛み合った歯車１４２とを備えている。
【００２６】
また、ディスク装置１００は、ターンテーブル１２０に載置されたディスクに対して記録及び再生を行うピックアップとしての光ピックアップ１５０と、シャフト１６１を有してシャーシ１１０に固定されたモータ１６０と、シャフト１６１に固定された歯車１６２とを備えている。
【００２７】
また、ディスク装置１００は、光ピックアップ１５０をターンテーブル１２０に対して移動させるリードスクリュー１７０と、リードスクリュー１７０に固定されて歯車１６２と噛み合った歯車１７１と、シャーシ１１０に固定されてリードスクリュー１７０を回転可能に支持したブラケット１１３及びブラケット１１４とを備えている。
【００２８】
ここで、リードスクリュー１７０は、図示していない雄ねじが設けられており、光ピックアップ１５０は、リードスクリュー１７０の雄ねじに係合した図示していない雌ねじが設けられたねじ部材１５１を有している。なお、光ピックアップ１５０がリードスクリュー１７０によって駆動される構成であれば、光ピックアップ１５０とリードスクリュー１７０との係合は、ねじによる係合に限らない。
【００２９】
また、ディスク装置１００は、光ピックアップ１５０がターンテーブル１２０に対して移動するときに光ピックアップ１５０を案内する案内部としてのガイドシャフト１８０と、ガイドシャフト１８０に固定されて歯車１３２と噛み合った歯車１８１と、ガイドシャフト１８０に固定されて歯車１４１と噛み合った歯車１８２と、シャーシ１１０に固定されてガイドシャフト１８０を回転可能に支持したブラケット１１５及びブラケット１１６とを備えている。
【００３０】
なお、歯車１３２、歯車１８１、ガイドシャフト１８０、歯車１８２、歯車１４１、シャフト１４０、歯車１４２、歯車１２３、及び、シャフト１２２は、スピンドルモータ１３０からターンテーブル１２０に動力を伝達する動力伝達部を構成している。
【００３１】
また、スピンドルモータ１３０は、回転軸１３３がターンテーブル１２０の回転軸１２４と略直交している。
【００３２】
次に、本実施の形態に係るディスク装置の動作について説明する。
【００３３】
スピンドルモータ１３０がシャフト１３１を回転すると、スピンドルモータ１３０によって発生させられた動力は、シャフト１３１に固定された歯車１３２と、歯車１３２と噛み合った歯車１８１と、歯車１８１を固定したガイドシャフト１８０と、ガイドシャフト１８０に固定された歯車１８２と、歯車１８２と噛み合った歯車１４１と、歯車１４１を固定したシャフト１４０と、シャフト１４０に固定された歯車１４２と、歯車１４２と噛み合った歯車１２３と、歯車１２３を固定したシャフト１２２とによって、シャフト１２２を固定したターンテーブル１２０に伝達される。
【００３４】
したがって、スピンドルモータ１３０がシャフト１３１を回転すると、ターンテーブル１２０とともに、ターンテーブル１２０に載置されたディスクが回転する。
【００３５】
また、モータ１６０がシャフト１６１を回転すると、モータ１６０によって発生させられた動力は、シャフト１６１に固定された歯車１６２と、歯車１６２と噛み合った歯車１７１と、歯車１７１を固定したリードスクリュー１７０と、リードスクリュー１７０の雄ねじに係合した雌ねじが設けられたねじ部材１５１とによって、ねじ部材１５１を有した光ピックアップ１５０に伝達される。
【００３６】
したがって、モータ１６０がシャフト１６１を回転すると、光ピックアップ１５０はリードスクリュー１７０及びガイドシャフト１８０に案内されながらターンテーブル１２０に対して離隔する方向又は近接する方向に移動する。
【００３７】
以上に説明したように、ディスク装置１００は、スピンドルモータ１３０の回転軸１３３がターンテーブル１２０の回転軸１２４と略直交しているので、スピンドルモータ１３０の回転軸１３３の矢印１３３ａで示す延在方向でのスピンドルモータ１３０の長さがターンテーブル１２０の回転軸１２４の矢印１２４ａで示す延在方向での装置全体の長さに与える影響を従来と比較して減少することができ、従来と比較して薄型にすることができる。
【００３８】
また、ディスク装置１００は、ガイドシャフト１８０が光ピックアップ１５０を案内するとともにスピンドルモータ１３０からターンテーブル１２０に動力を伝達するので、スピンドルモータ１３０からターンテーブル１２０に動力を伝達するための部品の増加を防止することができる。
【００３９】
なお、スピンドルモータ１３０は、図４及び図５に示すように、ターンテーブル１２０の回転軸１２４の矢印１２４ａで示す延在方向と略直交した矢印１３３ａで示す方向において、ターンテーブル１２０に載置されたときのディスク８００の外側に配置されるようにしても良い。
【００４０】
矢印１３３ａで示す方向においてターンテーブル１２０に載置されたときのディスク８００の外側にスピンドルモータ１３０が配置されるようにすると、ディスク装置１００は、ターンテーブル１２０に載置されたディスク８００とスピンドルモータ１３０との衝突を防止するために矢印１２４ａで示す方向においてターンテーブル１２０の位置を調整する必要が無いので、矢印１２４ａで示す方向での装置全体の長さの増加を防止することができる。
【００４１】
【発明の効果】
以上に説明したように、本発明によれば、従来と比較して薄型のディスク装置を提供することができる。
【図面の簡単な説明】
【図１】本発明の一実施の形態に係るディスク装置の上面図
【図２】図１に示すディスク装置の正面図
【図３】図１に示すディスク装置の側面図
【図４】本発明の一実施の形態に係るディスク装置の図１に示す例とは異なる例での上面図
【図５】図４に示すディスク装置の正面図
【図６】従来のディスク装置の上面図
【図７】図６に示すディスク装置の正面図
【符号の説明】
１００      ディスク装置
１２０      ターンテーブル
１２２      シャフト（動力伝達部）
１２３      歯車（動力伝達部）
１２４      回転軸
１３０      スピンドルモータ（モータ）
１３２      歯車（動力伝達部）
１３３      回転軸
１４０      シャフト（動力伝達部）
１４１      歯車（動力伝達部）
１４２      歯車（動力伝達部）
１５０      光ピックアップ（ピックアップ）
１８０      ガイドシャフト（動力伝達部、案内部）
１８１      歯車（動力伝達部）
１８２      歯車（動力伝達部）
【図１】
2004192762.tif 000003
【図２】
2004192762.tif 000004
【図３】
2004192762.tif 000005
【図４】
2004192762.tif 000006
【図５】
2004192762.tif 000007
【図６】
2004192762.tif 000008
【図７】
2004192762.tif 000009